(57)【要約】【課題】  等価直列抵抗の制御を容易に且つ精度良く行うことが可能な積層コンデンサを提供すること。【解決手段】    積層体１は、複数の誘電体層と、第１及び第２の内部電極４１〜４４，６１〜６４とが交互に積層されることにより構成される。第１の内部電極４１〜４４は、第１の接続導体７Ａ、７Ｂを介して互いに電気的に接続されている。第１の内部電極４１〜４４はそれぞれ、各引き出し導体５３Ａ〜５３Ｄを介して各第１の端子電極３Ａ〜３Ｄに電気的に接続されている。第２の内部電極６１〜６４はそれぞれ、第２の接続導体９Ａ、９Ｂを介して互いに電気的に接続されている。第２の内部電極６１〜６４はそれぞれ、各引き出し導体７３Ａ〜７３Ｄを介して各第２の端子電極５Ａ〜５Ｄに電気的に接続されている。【選択図】  図２
2008199047.tif 000002
【特許請求の範囲】
【請求項１】
複数の誘電体層と複数の内部電極とが交互に積層された積層体と、当該積層体の側面上に形成された複数の外部導体と、を備えた積層コンデンサが回路基板上に実装された積層コンデンサと、
実装面に複数の第１及び第２のランド電極が形成された回路基板と、を備え、
前記複数の内部電極は、交互に配置される複数の第１の内部電極と複数の第２の内部電極とを含み、
前記複数の外部導体は、複数の第１の端子導体と偶数の第１の接続導体とを含む第１の外部導体群と、複数の第２の端子導体と偶数の第２の接続導体とを含む第２の外部導体群とを有し、
前記複数の第１及び第２の端子導体は互いに電気的に絶縁され、前記偶数の第１及び第２の接続導体は互いに電気的に絶縁され、
前記複数の第１の内部電極はそれぞれ、前記積層体の側面に形成された前記偶数の第１の接続導体を介して互いに電気的に接続され、
前記複数の第２の内部電極はそれぞれ、前記積層体の側面に形成された前記偶数の第２の接続導体を介して互いに電気的に接続され、
前記複数の第１の内部電極のうち前記複数の第１の端子導体の総数以上当該第１の内部電極の総数よりも１つ少ない数以下の第１の内部電極はそれぞれ、引き出し導体を介して前記複数の第１の端子導体に電気的に接続されるとともに、前記複数の第１の端子導体はそれぞれ、前記引き出し導体を介して前記第１の端子導体に電気的に接続される前記第１の内部電極の少なくとも１つに電気的に接続され、
前記複数の第２の内部電極のうち前記複数の第２の端子導体の総数以上当該第２の内部電極の総数よりも１つ少ない数以下の第２の内部電極はそれぞれ、引き出し導体を介して前記複数の第２の端子導体に電気的に接続されるとともに、前記複数の第２の端子導体はそれぞれ、前記引き出し導体を介して前記第２の端子導体に電気的に接続される前記第２の内部電極の少なくとも１つに電気的に接続され、
前記第１の外部導体群に含まれる前記各導体と前記第２の外部導体群に含まれる前記各導体とが、前記積層体の側面に沿って周回する方向に関して隣り合うように配置されているとともに、
前記引き出し導体を介して前記第１の端子導体に電気的に接続される前記第１の内部電極の数及び前記引き出し導体を介して前記第２の端子導体に電気的に接続される前記第２の内部電極の数の少なくとも一方の数を調整することにより、等価直列抵抗が所望の値に設定されており、
前記複数の第１の端子導体はそれぞれ、前記回路基板に形成された前記複数の第１のランド電極に接続され、
前記複数の第２の端子導体はそれぞれ、前記回路基板に形成された前記複数の第２のランド電極に接続され、
前記第１及び第２の接続導体は何れも、前記回路基板に形成された前記複数の第１及び第２のランド電極の何れにも接続されないことを特徴とする積層コンデンサの実装構造。
【請求項２】
複数の誘電体層と複数の内部電極とが交互に積層された積層体と、当該積層体の側面上に形成された複数の外部導体と、を備えた積層コンデンサと、
実装面に複数の第１及び第２のランド電極が形成された回路基板と、を備え、
前記複数の内部電極は、交互に配置される複数の第１の内部電極と複数の第２の内部電極とを含み、
前記複数の外部導体は、複数の第１の端子導体と偶数の第１の接続導体とを含む第１の外部導体群と、複数の第２の端子導体と偶数の第２の接続導体とを含む第２の外部導体群とを有し、
前記複数の第１及び第２の端子導体は互いに電気的に絶縁され、前記偶数の第１及び第２の接続導体は互いに電気的に絶縁され、
前記複数の第１の内部電極はそれぞれ、前記積層体の側面に形成された前記偶数の第１の接続導体を介して互いに電気的に接続され、
前記複数の第２の内部電極はそれぞれ、前記積層体の側面に形成された前記偶数の第２の接続導体を介して互いに電気的に接続され、
前記複数の第１の内部電極のうち前記複数の第１の端子導体の総数以上当該第１の内部電極の総数よりも１つ少ない数以下の第１の内部電極はそれぞれ、引き出し導体を介して前記複数の第１の端子導体に電気的に接続されるとともに、前記複数の第１の端子導体はそれぞれ、前記引き出し導体を介して前記第１の端子導体に電気的に接続される前記第１の内部電極の少なくとも１つに電気的に接続され、
前記複数の第２の内部電極のうち前記複数の第２の端子導体の総数以上当該第２の内部電極の総数よりも１つ少ない数以下の第２の内部電極はそれぞれ、引き出し導体を介して前記複数の第２の端子導体に電気的に接続されるとともに、前記複数の第２の端子導体はそれぞれ、前記引き出し導体を介して前記第２の端子導体に電気的に接続される前記第２の内部電極の少なくとも１つに電気的に接続され、
前記第１の外部導体群に含まれる前記各導体と前記第２の外部導体群に含まれる前記各導体とが、前記積層体の側面に沿って周回する方向に関して隣り合うように配置されているとともに、
前記引き出し導体を介して前記第１の端子導体に電気的に接続される前記第１の内部電極の前記積層体の積層方向での位置及び前記引き出し導体を介して前記第２の端子導体に電気的に接続される前記第２の内部電極の前記積層体の積層方向での位置の少なくとも一方の位置を調整することにより、等価直列抵抗が所望の値に設定されており、
前記複数の第１の端子導体はそれぞれ、前記回路基板に形成された前記複数の第１のランド電極に接続され、
前記複数の第２の端子導体はそれぞれ、前記回路基板に形成された前記複数の第２のランド電極に接続され、
前記第１及び第２の接続導体は何れも、前記回路基板に形成された前記複数の第１及び第２のランド電極の何れにも接続されないことを特徴とする積層コンデンサの実装構造。
【請求項３】
前記積層体の積層方向と平行な前記側面のうち第１の側面上に、前記偶数の第１の接続導体の一部と前記偶数の第２の接続導体の一部とが形成され、
前記積層体の積層方向と平行で且つ前記第１の側面と対向する第２の側面上に、前記第１の側面上に形成された前記第１の接続導体以外の残りの第１の接続導体と、前記第１の側面上に形成された前記第２の接続導体以外の残りの前記第２の接続導体とが形成され、
前記第１の側面に形成された前記第１の接続導体と前記第２の接続導体との和及び前記第２の側面に形成された前記第１の接続導体と前記第２の接続導体との和の何れもが偶数であることを特徴とする請求項１又は請求項２に記載の積層コンデンサの実装構造。
【請求項４】
前記偶数の第１の接続導体は２つであり、そのうちの１つが前記第１の側面上に、残りの１つが前記第２の側面上に形成され、これら２つの前記第１の接続導体は前記積層体の積層方向の中心軸に対して線対称となる位置に形成されるとともに、
前記偶数の第２の接続導体は２つであり、そのうちの１つが前記第１の側面上に、残りの１つが前記第２の側面上に形成され、これら２つの前記第２の接続導体は前記積層体の積層方向の中心軸に対して線対称となる位置に形成されることを特徴とする請求項３に記載の積層コンデンサの実装構造。
【請求項５】
前記複数の第１及び第２の端子導体は、前記積層体の積層方向と平行な前記側面のうち前記第１の接続導体又は前記第２の接続導体が形成されている側面とは異なる側面上に形成されていることを特徴とする請求項１〜４の何れか一項に記載の積層コンデンサの実装構造。
【請求項６】
前記積層体の積層方向と平行な前記側面のうち前記第１の接続導体又は前記第２の接続導体が形成されている側面とは異なる前記側面上に形成された前記複数の第１及び第２の端子導体の和は偶数であることを特徴とする請求項５に記載の積層コンデンサの実装構造。
【発明の詳細な説明】
【技術分野】
【０００１】
本発明は、積層コンデンサの実装構造に関するものである。
【背景技術】
【０００２】
この種の積層コンデンサとして、複数の誘電体層と複数の内部電極とが交互に積層された積層体と、当該積層体に形成された複数の端子電極（端子導体）とを備えたものが知られている（例えば、特許文献１参照）。
【０００３】
デジタル電子機器に搭載されている中央処理装置（ＣＰＵ）に供給用の電源においては低電圧化が進む一方で負荷電流は増大している。従って、負荷電流の急激な変化に対して電源電圧の変動を許容値内に抑えることが非常に困難になったため、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。
【０００４】
近年、ＣＰＵの動作周波数の更なる高周波数化に伴って、負荷電流は高速でより大きなものとなっており、デカップリングコンデンサに用いられる積層コンデンサには、大容量化と共に等価直列抵抗（ＥＳＲ）を大きくしたいという要求がある。特許文献１に記載された積層コンデンサでは、端子電極を内部抵抗層を含む多層構造とすることにより、ＥＳＲを大きくしている。
【特許文献１】特開２００４−０４７９８３号公報
【発明の開示】
【発明が解決しようとする課題】
【０００５】
しかしながら、特許文献１に記載された積層コンデンサでは、等価直列抵抗を所望の値に制御するに際して、以下のような問題点が存在する。すなわち、特許文献１に記載された積層コンデンサでは、等価直列抵抗を所望の値に制御するためには、端子電極に含まれる内部抵抗層の厚みや当該内部抵抗層の材料組成を調整しなければならず、等価直列抵抗の制御が極めて困難となる。
【０００６】
本発明は、等価直列抵抗の制御を容易に且つ精度良く行うことが可能な積層コンデンサを提供することを課題とする。
【課題を解決するための手段】
【０００７】
ところで、一般的な積層コンデンサにあっては、すべての内部電極は引き出し導体を介して対応する端子電極（端子導体）に接続されている。このため、引き出し導体が内部電極の数だけ存在することとなり、等価直列抵抗が小さくなってしまう。積層コンデンサの大容量化を図るために誘電体層及び内部電極の積層数を多くすると、引き出し導体の数も多くなる。引き出し導体の抵抗成分は端子電極に対して並列接続されることとなるため、引き出し導体の数が多くなるに従い、積層コンデンサの等価直列抵抗がさらに小さくなってしまう。このように、積層コンデンサの大容量化と、等価直列抵抗を大きくするということとは、相反する要求である。
【０００８】
そこで、本発明者等は、大容量化と等価直列抵抗を大きくしたいとの要求を満たし得る積層コンデンサについて鋭意研究を行った。その結果、本発明者等は、誘電体層及び内部電極の積層数を同じとしても、内部電極を積層体の表面に形成された接続導体で接続し且つ引き出し導体の数を変えることができれば、等価直列抵抗を所望の値に調節することが可能となるという新たな事実を見出すに至った。また、本発明者等は、内部電極を積層体の表面に形成された接続導体で接続し且つ積層体の積層方向での引き出し導体の位置を変えることができれば、等価直列抵抗を所望の値に調節することが可能となるという新たな事実を見出すに至った。特に、引き出し導体の数を内部電極の数よりも少なくすれば、等価直列抵抗を大きくする方向での調整が可能となる。
【０００９】
かかる研究結果を踏まえ、本発明に係る積層コンデンサは、複数の誘電体層と複数の内部電極とが交互に積層された積層体と、当該積層体の側面上に形成された複数の外部導体と、を備えた積層コンデンサであって、複数の内部電極は、交互に配置される複数の第１の内部電極と複数の第２の内部電極とを含み、複数の外部導体は、複数の第１の端子導体と偶数の第１の接続導体とを含む第１の外部導体群と、複数の第２の端子導体と偶数の第２の接続導体とを含む第２の外部導体群とを有し、複数の第１及び第２の端子導体は互いに電気的に絶縁され、偶数の第１及び第２の接続導体は互いに電気的に絶縁され、複数の第１の内部電極はそれぞれ、積層体の側面に形成された偶数の第１の接続導体を介して互いに電気的に接続され、複数の第２の内部電極はそれぞれ、積層体の側面に形成された偶数の第２の接続導体を介して互いに電気的に接続され、複数の第１の内部電極のうち複数の第１の端子導体の総数以上当該第１の内部電極の総数よりも１つ少ない数以下の第１の内部電極はそれぞれ、引き出し導体を介して複数の第１の端子導体に電気的に接続されるとともに、複数の第１の端子導体はそれぞれ、引き出し導体を介して第１の端子導体に電気的に接続される第１の内部電極の少なくとも１つに電気的に接続され、複数の第２の内部電極のうち複数の第２の端子導体の総数以上当該第２の内部電極の総数よりも１つ少ない数以下の第２の内部電極はそれぞれ、引き出し導体を介して複数の第２の端子導体に電気的に接続されるとともに、複数の第２の端子導体はそれぞれ、引き出し導体を介して第２の端子導体に電気的に接続される第２の内部電極の少なくとも１つに電気的に接続され、記第１の外部導体群に含まれる各導体と第２の外部導体群に含まれる各導体とが、積層体の側面に沿って周回する方向に関して隣り合うように配置されているとともに、引き出し導体を介して第１の端子導体に電気的に接続される第１の内部電極の数及び引き出し導体を介して第２の端子導体に電気的に接続される第２の内部電極の数の少なくとも一方の数を調整することにより、等価直列抵抗が所望の値に設定されていることを特徴とする。
【００１０】
上述の積層コンデンサによれば、引き出し導体を介して第１の端子導体に電気的に接続される第１の内部電極の数及び引き出し導体を介して第２の端子導体に電気的に接続される第２の内部電極の数の少なくとも一方の数を調整することにより、等価直列抵抗が所望の値に設定されるので、等価直列抵抗の制御を容易に且つ精度良く行うことができる。また、上述の積層コンデンサのような外部導体の配置によると、第１の外部導体群の極性と第２の外部導体群の極性とを逆にした場合、積層体の側面に沿って周回する方向で見て、逆の極性に接続されている導体が隣り合って配置されることとなる。そのため、端子導体又は接続導体と内部電極との間を流れる電流に起因して発生する磁界が相殺される。その結果、この積層コンデンサでは等価直列インダクタンスが低減される。さらに、各接続導体の数は偶数であるため、等価直列インダクタンスが低減されるように第１及び第２の端子導体が配置されている構成に対して接続導体をさらに加えても、等価直列インダクタンスはやはり低減されることとなる。
【００１１】
本発明に係る積層コンデンサは、複数の誘電体層と複数の内部電極とが交互に積層された積層体と、当該積層体の側面上に形成された複数の外部導体と、を備えた積層コンデンサであって、複数の内部電極は、交互に配置される複数の第１の内部電極と複数の第２の内部電極とを含み、複数の外部導体は、複数の第１の端子導体と偶数の第１の接続導体とを含む第１の外部導体群と、複数の第２の端子導体と偶数の第２の接続導体とを含む第２の外部導体群とを有し、複数の第１及び第２の端子導体は互いに電気的に絶縁され、偶数の第１及び第２の接続導体は互いに電気的に絶縁され、複数の第１の内部電極はそれぞれ、積層体の側面に形成された偶数の第１の接続導体を介して互いに電気的に接続され、複数の第２の内部電極はそれぞれ、積層体の側面に形成された偶数の第２の接続導体を介して互いに電気的に接続され、複数の第１の内部電極のうち複数の第１の端子導体の総数以上当該第１の内部電極の総数よりも１つ少ない数以下の第１の内部電極はそれぞれ、引き出し導体を介して複数の第１の端子導体に電気的に接続されるとともに、複数の第１の端子導体はそれぞれ、引き出し導体を介して第１の端子導体に電気的に接続される第１の内部電極の少なくとも１つに電気的に接続され、複数の第２の内部電極のうち複数の第２の端子導体の総数以上当該第２の内部電極の総数よりも１つ少ない数以下の第２の内部電極はそれぞれ、引き出し導体を介して複数の第２の端子導体に電気的に接続されるとともに、複数の第２の端子導体はそれぞれ、引き出し導体を介して第２の端子導体に電気的に接続される第２の内部電極の少なくとも１つに電気的に接続され、第１の外部導体群に含まれる各導体と第２の外部導体群に含まれる各導体とが、積層体の側面に沿って周回する方向に関して隣り合うように配置されているとともに、引き出し導体を介して第１の端子導体に電気的に接続される第１の内部電極の積層体の積層方向での位置及び引き出し導体を介して第２の端子導体に電気的に接続される第２の内部電極の積層体の積層方向での位置の少なくとも一方の位置を調整することにより、等価直列抵抗が所望の値に設定されていることを特徴とする。
【００１２】
上述の積層コンデンサによれば、引き出し導体を介して第１の端子導体に電気的に接続される第１の内部電極の積層体の積層方向での位置及び引き出し導体を介して第２の端子導体に電気的に接続される第２の内部電極の積層体の積層方向での位置の少なくとも一方の位置を調整することにより、等価直列抵抗が所望の値に設定されるので、等価直列抵抗の制御を容易に且つ精度良く行うことができる。また、上述の積層コンデンサのような外部導体の配置によると、第１の外部導体群の極性と第２の外部導体群の極性とを逆にした場合、積層体の側面に沿って周回する方向で見て、逆の極性に接続されている導体が隣り合って配置されることとなる。そのため、端子導体又は接続導体と内部電極との間を流れる電流に起因して発生する磁界が相殺される。その結果、この積層コンデンサでは等価直列インダクタンスが低減される。さらに、各接続導体の数は偶数であるため、等価直列インダクタンスが低減されるように第１及び第２の端子導体が配置されている構成に対して接続導体をさらに加えても、等価直列インダクタンスはやはり低減されることとなる。
【００１３】
例えば、積層体の積層方向と平行な側面のうち第１の側面上に、偶数の第１の接続導体の一部と偶数の第２の接続導体の一部とが形成され、積層体の積層方向と平行で且つ第１の側面と対向する第２の側面上に、第１の側面上に形成された第１の接続導体以外の残りの第１の接続導体と、第１の側面上に形成された第２の接続導体以外の残りの第２の接続導体とが形成され、第１の側面に形成された第１の接続導体と第２の接続導体との和及び第２の側面に形成された第１の接続導体と第２の接続導体との和の何れもが偶数であってもよい。
【００１４】
例えば、偶数の第１の接続導体は２つであり、そのうちの１つが第１の側面上に、残りの１つが第２の側面上に形成され、これら２つの第１の接続導体は積層体の積層方向の中心軸に対して線対称となる位置に形成されるとともに、偶数の第２の接続導体は２つであり、そのうちの１つが第１の側面上に、残りの１つが第２の側面上に形成され、これら２つの第２の接続導体は積層体の積層方向の中心軸に対して線対称となる位置に形成されていてもよい。
【００１５】
複数の第１及び第２の端子導体は、積層体の積層方向と平行な側面のうち第１の接続導体又は第２の接続導体が形成されている側面とは異なる側面上に形成されていることが好ましい。このように端子導体と接続導体とを異なる側面上に形成することによって、第１の端子導体と第２の接続導体との間での短絡及び第２の端子導体と第１の接続導体との間での短絡の発生を抑制することができる。
【００１６】
この場合、例えば、積層体の積層方向と平行な側面のうち第１の接続導体又は第２の接続導体が形成されている側面とは異なる側面上に形成された複数の第１及び第２の端子導体の和は偶数であってもよい。
【発明の効果】
【００１７】
本発明によれば、等価直列抵抗の制御を容易に且つ精度良く行うことが可能な積層コンデンサを提供することができる。
【発明を実施するための最良の形態】
【００１８】
以下、添付図面を参照して、本発明の好適な実施形態について詳細に説明する。なお、説明において、同一要素又は同一機能を有する要素には、同一符号を用いることとし、重複する説明は省略する。また、説明中、「上」及び「下」なる語を使用することがあるが、これは各図の上下方向に対応したものである。
【００１９】
（第１実施形態）
図１及び図２を参照して、第１実施形態に係る積層コンデンサＣ１の構成について説明する。図１は、第１実施形態に係る積層コンデンサの斜視図である。図２は、第１実施形態に係る積層コンデンサに含まれる積層体の分解斜視図である。
【００２０】
第１実施形態に係る積層コンデンサＣ１は、図１に示されるように、略直方体形状をした積層体１と、積層体１に形成された複数の外部導体とを備える。複数の外部導体は、第１の外部導体群と第２の外部導体群とを有する。第１の外部導体群は、複数（本実施形態では、各４つ）の第１の端子電極（第１の端子導体）３Ａ〜３Ｄと偶数（本実施形態では、各２つ）の第１の接続導体７Ａ、７Ｂとを含む。第２の外部導体群は、複数（本実施形態では、各４つ）の第２の端子電極（第２の端子導体）５Ａ〜５Ｄと偶数（本実施形態では、各２つ）の第２の接続導体９Ａ、９Ｂとを含む。
【００２１】
第１の接続導体７Ａ及び第２の接続導体９Ａは、後述する積層体１の積層方向と平行な第１〜第４の側面１ａ〜１ｄのうち第１の側面１ａ上に位置し、第４の側面１ｄ側から第３の側面１ｃ側に向かって、第１の接続導体７Ａ、第２の接続導体９Ａの順で形成されている。このように、２つの第１の接続導体７Ａ、７Ｂのうち一部（本実施形態では、１つ）の第１の接続導体７Ａと、２つの第２の接続導体９Ａ、９Ｂのうち一部（本実施形態では、１つ）の第２の接続導体９Ａとが、第１の側面１ａ上に形成され、これらの和は偶数（２つ）となる。
【００２２】
第１の接続導体７Ｂ及び第２の接続導体９Ｂは、積層体１の積層方向と平行な側面１ａ〜１ｄのうち第１の側面１ａと対向する第２の側面１ｂ上に位置し、第３の側面１ｃ側から第４の側面１ｄ側に向かって、第１の接続導体７Ｂ、第２の接続導体９Ｂの順で形成されている。このように、第１の側面１ａ上に形成された第１の接続導体７Ａ以外の残り（本実施形態では、１つ）の第１の接続導体７Ｂと、第１の側面１ａ上に形成された第２の接続導体９Ａ以外の残り（本実施形態では、１つ）の第２の接続導体９Ｂとが、第２の側面１ｂ上に形成され、これらの和は偶数（２つ）となる。
【００２３】
また、第１の接続導体７Ａと第１の接続導体７Ｂとは、積層体１の積層方向の中心軸に対して線対称となる位置に形成されている。第２の接続導体９Ａと第２の接続導体９Ｂとは、積層体１の積層方向の中心軸に対して線対称となる位置に形成されている。なお、第１の接続導体７Ａ、７Ｂと第２の接続導体９Ａ、９Ｂとは、互いに電気的に絶縁されている。
【００２４】
第１の端子電極３Ａ、３Ｂ及び第２の端子電極５Ａ、５Ｂは、積層体１の第３の側面１ｃ側に位置し、第１の側面１ａ側から第２の側面１ｂ側に向かって、第１の端子電極３Ａ、第２の端子電極５Ａ、第１の端子電極３Ｂ、第２の端子電極５Ｂの順で形成されている。
【００２５】
第１の端子電極３Ｃ、３Ｄ及び第２の端子電極５Ｃ、５Ｄは、積層体１の第４の側面１ｄ側に位置し、第２の側面１ｂ側から第１の側面１ａ側に向かって、第１の端子電極３Ｃ、第２の端子電極５Ｃ、第１の端子電極３Ｄ、第２の端子電極５Ｄの順で形成されている。
【００２６】
このように、積層体１の第１〜第４の側面１ａ〜１ｄ上においては、積層体１の積層方向と平行な積層体１の側面（第１、第３、第２、及び第４の側面１ａ、１ｃ、１ｂ、１ｄ）に沿って、積層方向と交差するように周回する方向に関して、第１の外部導体群に含まれる各導体（第１の端子電極３Ａ〜３Ｄ及び第１の接続導体７Ａ、７Ｂ）と、第２の外部導体群に含まれる各導体（第２の端子電極５Ａ〜５Ｄ及び第２の接続導体９Ａ、９Ｂ）とが隣り合うように交互に配置されている。
【００２７】
また、第１及び第２の接続導体７Ａ、７Ｂ、９Ａ、９Ｂを除き第１及び第２の端子電極３Ａ〜３Ｄ、５Ａ〜５Ｄだけに着目すると、第１及び第２の端子電極３Ａ〜３Ｄ、５Ａ〜５Ｄは、積層体１の積層方向と平行な積層体１の側面（第１、第３、第２、及び第４の側面１ａ、１ｃ、１ｂ、１ｄ）に沿って積層方向と交差するように周回する方向に関して、第１の端子電極と第２の端子電極とが交互になるように配置されている。
【００２８】
第１及び第２の端子電極３Ａ〜３Ｄ、５Ａ〜５Ｄは、積層体１の積層方向と平行な側面のうち第１の接続導体７Ａ、７Ｂ又は第２の接続導体９Ａ、９Ｂが形成されている第１及び第２の側面１ａ、１ｂとは異なる第３及び第４の側面１ｃ、１ｄ上に形成されている。また、第３の側面１ｃ上に形成された第１の端子電極３Ａ、３Ｂと第２の端子電極５Ａ、５Ｂとの和は４と偶数である。第４の側面１ｄ上に形成された第１の端子電極３Ｃ、３Ｄと第２の端子電極５Ｃ、５Ｄとの和は４と偶数である。
【００２９】
第１の端子電極３Ａ〜３Ｄと第２の端子電極５Ａ〜５Ｄとは、互いに電気的に絶縁されている。
【００３０】
積層体１は、図２にも示されるように、複数（本実施形態では、２５層）の誘電体層１１〜３５と、複数（本実施形態では、各１２層）の第１及び第２の内部電極４１〜５２，６１〜７２とが交互に積層されることにより構成される。実際の積層コンデンサＣ１では、誘電体層１１〜３５の間の境界が視認できない程度に一体化されている。
【００３１】
各第１の内部電極４１〜５２は、略矩形形状を呈している。第１の内部電極４１〜５２は、積層体１における誘電体層１１〜３５の積層方向（以下、単に「積層方向」と称する。）に平行な側面から所定の間隔を有した位置にそれぞれ形成されている。各第１の内部電極４１〜５２には、積層体１の第１の側面１ａに引き出されるように伸びる引き出し導体８１Ａ〜９２Ａそれぞれと、積層体１の第２の側面１ｂに引き出されるように伸びる引き出し導体８１Ｂ〜９２Ｂそれぞれとが形成されている。
【００３２】
各引き出し導体８１Ａ〜９２Ａは、対応する第１の内部電極４１〜５２と一体に形成されており、積層体１の第１の側面１ａに臨むように、各第１の内部電極４１〜５２から伸びている。各引き出し導体８１Ｂ〜９２Ｂは、対応する第１の内部電極４１〜５２と一体に形成されており、積層体１の第２の側面１ｂに臨むように、各第１の内部電極４１〜５２から伸びている。
【００３３】
第１の内部電極４１〜５２はそれぞれ、引き出し導体８１Ａ〜９２Ａを介して第１の接続導体７Ａに電気的に接続される。第１の内部電極４１〜５２はそれぞれ、引き出し導体８１Ｂ〜９２Ｂを介して第１の接続導体７Ｂに電気的に接続される。これにより、第１の内部電極４１〜５２は、第１の接続導体７Ａ、７Ｂを介して互いに電気的に接続されることとなる。
【００３４】
各第１の内部電極４１、４２には、積層体１の第３の側面１ｃに引き出されるように伸びる各引き出し導体５３Ａ、５３Ｂが形成されている。各第１の内部電極４３、４４には、積層体１の第４の側面１ｄに引き出されるように伸びる各引き出し導体５３Ｃ、５３Ｄが形成されている。
【００３５】
引き出し導体５３Ａは、第１の内部電極４１と一体に形成されており、積層体１の第３の側面１ｃに臨むように、第１の内部電極４１から伸びている。引き出し導体５３Ｂは、第１の内部電極４２と一体に形成されており、積層体１の第３の側面１ｃに臨むように、第１の内部電極４２から伸びている。引き出し導体５３Ｃは、第１の内部電極４３と一体に形成されており、積層体１の第４の側面１ｄに臨むように、第１の内部電極４３から伸びている。引き出し導体５３Ｄは、第１の内部電極４４と一体に形成されており、積層体１の第４の側面１ｄに臨むように、第１の内部電極４４から伸びている。
【００３６】
第１の内部電極４１は、引き出し導体５３Ａを介して第１の端子電極３Ａに電気的に接続される。第１の内部電極４２は、引き出し導体５３Ｂを介して第１の端子電極３Ｂに電気的に接続される。第１の内部電極４３は、引き出し導体５３Ｃを介して第１の端子電極３Ｃに電気的に接続される。第１の内部電極４４は、引き出し導体５３Ｄを介して第１の端子電極３Ｄに電気的に接続される。
【００３７】
第１の内部電極４１〜５２は第１の接続導体７Ａ、７Ｂを介して互いに電気的に接続されていることから、第１の内部電極４５〜５２も第１の端子電極３Ａ〜３Ｄに電気的に接続されることとなり、第１の内部電極４１〜５２は並列接続されることとなる。
【００３８】
各第２の内部電極６１〜７２は、略矩形形状を呈している。第２の内部電極６１〜７２は、積層体１の積層方向に平行な側面から所定の間隔を有した位置にそれぞれ形成されている。各第２の内部電極６１〜７２には、積層体１の第１の側面１ａに引き出されるように伸びる引き出し導体１０１Ａ〜１１２Ａそれぞれと、積層体１の第２の側面１ｂに引き出されるように伸びる引き出し導体１０１Ｂ〜１１２Ｂそれぞれとが形成されている。
【００３９】
各引き出し導体１０１Ａ〜１１２Ａは、対応する第２の内部電極６１〜７２と一体に形成されており、積層体１の第１の側面１ａに臨むように、各第２の内部電極６１〜７２から伸びている。各引き出し導体１０１Ｂ〜１１２Ｂは、対応する第２の内部電極６１〜７２と一体に形成されており、積層体１の第２の側面１ｂに臨むように、各第２の内部電極６１〜７２から伸びている。
【００４０】
第２の内部電極６１〜７２はそれぞれ、引き出し導体１０１Ａ〜１１２Ａを介して第２の接続導体９Ａに電気的に接続される。第２の内部電極６１〜７２はそれぞれ、引き出し導体１０１Ｂ〜１１２Ｂを介して第２の接続導体９Ｂに電気的に接続される。これにより、第１の内部電極６１〜７２は、第２の接続導体９Ａ、９Ｂを介して互いに電気的に接続されることとなる。
【００４１】
各第２の内部電極６１、６２には、積層体１の第３の側面１ｃに引き出されるように伸びる各引き出し導体７３Ａ、７３Ｂが形成されている。各第２の内部電極６３、６４には、積層体１の第４の側面１ｄに引き出されるように伸びる各引き出し導体７３Ｃ、７３Ｄがそれぞれ形成されている。
【００４２】
引き出し導体７３Ａは、第２の内部電極６１と一体に形成されており、積層体１の第３の側面１ｃに臨むように、第２の内部電極６１から伸びている。引き出し導体７３Ｂは、第２の内部電極６２と一体に形成されており、積層体１の第３の側面１ｃに臨むように、第２の内部電極６２から伸びている。引き出し導体７３Ｃは、第２の内部電極６３と一体に形成されており、積層体１の第４の側面１ｄに臨むように、第２の内部電極６３から伸びている。引き出し導体７３Ｄは、第２の内部電極６４と一体に形成されており、積層体１の第４の側面１ｄに臨むように、第２の内部電極６４から伸びている。
【００４３】
第２の内部電極６１は、引き出し導体７３Ａを介して第２の端子電極５Ａに電気的に接続される。第２の内部電極６２は、引き出し導体７３Ｂを介して第２の端子電極５Ｂに電気的に接続される。第２の内部電極６３は、引き出し導体７３Ｃを介して第２の端子電極５Ｃに電気的に接続される。第２の内部電極６４は、引き出し導体７３Ｄを介して第２の端子電極５Ｄに電気的に接続される。
【００４４】
第２の内部電極６１〜７２は第２の接続導体９Ａ、９Ｂを介して互いに電気的に接続されていることから、第２の内部電極６５〜７２も第２の端子電極５Ａ〜５Ｄに電気的に接続されることとなり、第２の内部電極６１〜７２は並列接続されることとなる。
【００４５】
積層コンデンサＣ１では、引き出し導体５３Ａ〜５３Ｄを介して第１の端子電極３Ａ〜３Ｄに直接接続される第１の内部電極４１〜４４の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１〜６４の数を４つとし、第２の内部電極６１〜７２の総数（本実施形態では、１２つ）よりも少なくされている。
【００４６】
第１の端子電極３Ａに着目すると、第１の接続導体７Ａ、７Ｂの抵抗成分はそれぞれ、第１の端子電極３Ａに対して直列接続されることとなる。
【００４７】
第１の端子電極３Ｂに着目すると、第１の接続導体７Ａ、７Ｂの抵抗成分はそれぞれ、第１の内部電極４２を境にして、当該第１の内部電極４２よりも積層方向の一方側に位置する第１の接続導体７Ａ、７Ｂの抵抗成分と、第１の内部電極４２よりも積層方向の他方側に位置する第１の接続導体７Ａ、７Ｂの抵抗成分とに分けられる。これらの抵抗成分は、第１の端子電極３Ｂに対して並列接続されることとなる。
【００４８】
第１の端子電極３Ｃに着目すると、第１の接続導体７Ａ、７Ｂの抵抗成分はそれぞれ、第１の内部電極４３を境にして、当該第１の内部電極４３よりも積層方向の一方側に位置する第１の接続導体７Ａ、７Ｂの抵抗成分と、第１の内部電極４３よりも積層方向の他方側に位置する第１の接続導体７Ａ、７Ｂの抵抗成分とに分けられる。これらの抵抗成分は、第１の端子電極３Ｃに対して並列接続されることとなる。
【００４９】
第１の端子電極３Ｄに着目すると、第１の接続導体７Ａ、７Ｂの抵抗成分はそれぞれ、第１の内部電極４４を境にして、当該第１の内部電極４４よりも積層方向の一方側に位置する第１の接続導体７Ａ、７Ｂの抵抗成分と、第１の内部電極４４よりも積層方向の他方側に位置する第１の接続導体７Ａ、７Ｂの抵抗成分とに分けられる。これらの抵抗成分は、第１の端子電極３Ｄに対して並列接続されることとなる。
【００５０】
一方、第２の端子電極５Ａに着目すると、第２の接続導体９Ａ、９Ｂの抵抗成分はそれぞれ、第２の内部電極６１を境にして、当該第２の内部電極６１よりも積層方向の一方側に位置する第２の接続導体９Ａ、９Ｂの抵抗成分と、第２の内部電極６１よりも積層方向の他方側に位置する第２の接続導体９Ａ、９Ｂの抵抗成分とに分けられる。これらの抵抗成分は、第２の端子電極５Ａに対して並列接続されることとなる。
【００５１】
第２の端子電極５Ｂに着目すると、第２の接続導体９Ａ、９Ｂの抵抗成分はそれぞれ、第２の内部電極６２を境にして、当該第２の内部電極６２よりも積層方向の一方側に位置する第２の接続導体９Ａ、９Ｂの抵抗成分と、第２の内部電極６２よりも積層方向の他方側に位置する第２の接続導体９Ａ、９Ｂの抵抗成分とに分けられる。これらの抵抗成分は、第２の端子電極５Ｂに対して並列接続されることとなる。
【００５２】
第２の端子電極５Ｃに着目すると、第２の接続導体９Ａ、９Ｂの抵抗成分はそれぞれ、第２の内部電極７３を境にして、当該第２の内部電極７３よりも積層方向の一方側に位置する第２の接続導体９Ａ、９Ｂの抵抗成分と、第２の内部電極７３よりも積層方向の他方側に位置する第２の接続導体９Ａ、９Ｂの抵抗成分とに分けられる。これらの抵抗成分は、第２の端子電極５Ｃに対して並列接続されることとなる。
【００５３】
第２の端子電極５Ｄに着目すると、第２の接続導体９Ａ、９Ｂの抵抗成分はそれぞれ、第２の内部電極６４を境にして、当該第２の内部電極６４よりも積層方向の一方側に位置する第２の接続導体９Ａ、９Ｂの抵抗成分と、第２の内部電極６４よりも積層方向の他方側に位置する第２の接続導体９Ａ、９Ｂの抵抗成分とに分けられる。これらの抵抗成分は、第２の端子電極５Ｄに対して並列接続されることとなる。
【００５４】
これらにより、積層コンデンサＣ１は、すべての内部電極が対応する端子電極に引き出し導体を介して接続されている従来の積層コンデンサに比して、等価直列抵抗が大きくなる。
【００５５】
以上のように、本実施形態によれば、引き出し導体５３Ａ〜５３Ｄを介して第１の端子電極３Ａ〜３Ｄに電気的に接続される第１の内部電極４１〜４４の数と引き出し導体７３Ａ〜７３Ｄを介して第２の端子電極５Ａ〜５Ｄに電気的に接続される第２の内部電極６１〜６４の数とをそれぞれ調整することにより、積層コンデンサＣ１の等価直列抵抗が所望の値に設定されるので、等価直列抵抗の制御を容易に且つ精度良く行うことができる。
【００５６】
また、積層体１の第１〜第４の側面１ａ〜１ｄ上において、積層体１の積層方向と平行な側面に沿って積層方向と交差するように周回する方向に関して、第１の外部導体群に含まれる各導体（第１の端子電極３Ａ〜３Ｄ及び第１の接続導体７Ａ、７Ｂ）と、第２の外部導体群に含まれる各導体（第２の端子電極５Ａ〜５Ｄ及び第２の接続導体９Ａ、９Ｂ）とが隣り合うように配置されている。
【００５７】
すなわち、第１の側面１ａ上では、第４の側面１ｄから第３の側面１ｃに向かう方向で、第１の接続導体７Ａ、第２の接続導体９Ａがこの順で交互に配置されている。第２の側面１ｂ上では、第３の側面１ｃから第４の側面１ｄに向かう方向で、第１の接続導体７Ｂ、第２の接続導体９Ｂがこの順で交互に配置されている。第３の側面１ｃ上では、第１の側面１ａから第２の側面１ｂに向かう方向で、第１の端子電極３Ａ、第２の端子電極５Ａ、第１の端子電極３Ｂ、及び第２の端子電極５Ｂがこの順で交互に配置されている。第４の側面１ｄ上では、第２の側面１ｂから第１の側面１ａに向かう方向で、第１の端子電極３Ｃ、第２の端子電極５Ｃ、第１の端子電極３Ｄ、及び第２の端子電極５Ｄがこの順で交互に配置されている。
【００５８】
そのため、第１の外部導体群（第１の端子電極３Ａ〜３Ｄ及び第１の接続導体７Ａ、７Ｂ）の極性と第２の外部導体群（第２の端子電極５Ａ〜５Ｄ及び第２の接続導体９Ａ、９Ｂ）の極性とを逆に接続した場合、積層体１の側面に沿って周回する方向で見て、逆の極性に接続されている端子電極又は接続導体が隣り合うこととなる。これにより、積層体１の側面に沿って周回する方向に関して隣り合う引き出し導体５３Ａ〜５３Ｄ、８１Ａ〜９２Ａ、８１Ｂ〜９２Ｂ、７３Ａ〜７３Ｄ、１０１Ａ〜１１２Ａ、１０１Ｂ〜１１２Ｂには、互いに逆向きの電流が流れることととなる。その結果、これらの電流に起因して発生する磁界が相殺され、この積層コンデンサＣ１では等価直列インダクタンスが低減されることとなる。
【００５９】
また、第１及び第２の接続導体７Ａ、７Ｂ、９Ａ、９Ｂを除き第１及び第２の端子電極３Ａ〜３Ｄ、５Ａ〜５Ｄだけに着目した場合、第１及び第２の端子電極３Ａ〜３Ｄ、５Ａ〜５Ｄは、積層体１の積層方向と平行な積層体１の側面（第１、第３、第２、及び第４の側面１ａ、１ｃ、１ｂ、１ｄ）に沿って積層方向と交差するように周回する方向に関して、第１の端子電極と第２の端子電極とが交互になるように配置されている。したがって、第１及び第２の端子電極３Ａ〜３Ｄ、５Ａ〜５Ｄは、各端子電極と接続される引き出し導体を流れる電流によって発生する磁界が相殺され、等価直列インダクタンスが低減されるような配置となっている。第１及び第２の接続導体７Ａ，７Ｂ、９Ａ、９Ｂはそれぞれ偶数であるため、等価直列インダクタンスが低減されるように第１及び第２の端子導体３Ａ〜３Ｄ、５Ａ〜５Ｄが配置された積層コンデンサＣ１に対し接続導体をさらに加えても、等価直列インダクタンスはやはり低減される。
【００６０】
また、第１及び第２の端子電極３Ａ〜３Ｄ、５Ａ〜５Ｄは、第１の接続導体７Ａ、７Ｂ又は第２の接続導体９Ａ、９Ｂが形成されている第１及び第２の側面１ａ、１ｂとは異なる第３及び第４の側面１ｃ、１ｄ上に形成されている。このように積層コンデンサＣ１では、端子電極３Ａ〜３Ｄ、５Ａ〜５Ｄと接続導体７Ａ、７Ｂ、９Ａ、９Ｂとが異なる側面上に形成されているため、第１の端子電極３Ａ〜３Ｄと第２の接続導体９Ａ、９Ｂとの間での短絡及び第２の端子電極５Ａ〜５Ｄと第１の接続導体７Ａ、７Ｂとの間での短絡の発生が抑制される。
【００６１】
また、本実施形態において、第１の内部電極４１〜５２同士は、並列接続されており、第２の内部電極６１〜７２同士は、並列接続されている。これにより、各第１の内部電極４１〜５２や各第２の内部電極６１〜７２の抵抗値にバラツキが生じても、積層コンデンサＣ１全体での等価直列抵抗への影響が少なく、等価直列抵抗の制御の精度低下を抑制することができる。
【００６２】
（第２実施形態）
図３を参照して、第２実施形態に係る積層コンデンサの構成について説明する。第２実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第１実施形態に係る積層コンデンサＣ１と相違する。図３は、第２実施形態に係る積層コンデンサに含まれる積層体の分解斜視図である。
【００６３】
第２実施形態に係る積層コンデンサは、図示は省略するが、第１実施形態に係る積層コンデンサＣ１と同じく、積層体１と、当該積層体１に形成された第１の端子電極３Ａ〜３Ｄと、同じく積層体１に形成された第２の端子電極５Ａ〜５Ｄと、同じく積層体１に形成された第１及び第２の接続導体７Ａ、７Ｂ、９Ａ、９Ｂとを備えている。
【００６４】
第２実施形態に係る積層コンデンサでは、図３に示されるように、各第１の内部電極４９、５０に対し、積層体１の第３の側面１ｃに引き出されるように伸びる各引き出し導体５３Ａ、５３Ｂが形成されている。各第１の内部電極５１、５２に対し、積層体１の第４の側面１ｄに引き出されるように伸びる各引き出し導体５３Ｃ、５３Ｄが形成されている。
【００６５】
引き出し導体５３Ａは、第１の内部電極４９と一体に形成されており、積層体１の第３の側面１ｃに臨むように、第１の内部電極４９から伸びている。引き出し導体５３Ｂは、第１の内部電極５０と一体に形成されており、積層体１の第３の側面１ｃに臨むように、第１の内部電極５０から伸びている。引き出し導体５３Ｃは、第１の内部電極５１と一体に形成されており、積層体１の第４の側面１ｄに臨むように、第１の内部電極５１から伸びている。引き出し導体５３Ｄは、第１の内部電極５２と一体に形成されており、積層体１の第４の側面１ｄに臨むように、第１の内部電極５２から伸びている。
【００６６】
第１の内部電極４９は、引き出し導体５３Ａを介して第１の端子電極３Ａに電気的に接続される。第１の内部電極５０は、引き出し導体５３Ｂを介して第１の端子電極３Ｂに電気的に接続される。第１の内部電極５１は、引き出し導体５３Ｃを介して第１の端子電極３Ｃに電気的に接続される。第１の内部電極５２は、引き出し導体５３Ｄを介して第１の端子電極３Ｄに電気的に接続される。
【００６７】
各第２の内部電極６９、７０に対し、積層体１の第３の側面１ｃに引き出されるように伸びる各引き出し導体７３Ａ、７３Ｂが形成されている。各第２の内部電極７１、７２に対し、積層体１の第４の側面１ｄに引き出されるように伸びる各引き出し導体７３Ｃ、７３Ｄが形成されている。
【００６８】
引き出し導体７３Ａは、第２の内部電極６９と一体に形成されており、積層体１の第３の側面１ｃに臨むように、第２の内部電極６９から伸びている。引き出し導体７３Ｂは、第２の内部電極７０と一体に形成されており、積層体１の第３の側面１ｃに臨むように、第２の内部電極７０から伸びている。引き出し導体７３Ｃは、第２の内部電極７１と一体に形成されており、積層体１の第４の側面１ｄに臨むように、第２の内部電極７１から伸びている。引き出し導体７３Ｄは、第２の内部電極７２と一体に形成されており、積層体１の第４の側面１ｄに臨むように、第２の内部電極７２から伸びている。
【００６９】
第２の内部電極６９は、引き出し導体７３Ａを介して第２の端子電極５Ａに電気的に接続される。第２の内部電極７０は、引き出し導体７３Ｂを介して第２の端子電極５Ｂに電気的に接続される。第２の内部電極７１は、引き出し導体７３Ｃを介して第２の端子電極５Ｃに電気的に接続される。第２の内部電極７２は、引き出し導体７３Ｄを介して第２の端子電極５Ｄに電気的に接続される。
【００７０】
第２実施形態に係る積層コンデンサでは、引き出し導体５３Ａ〜５３Ｄを介して第１の端子電極３Ａ〜３Ｄに直接接続される第１の内部電極４１〜４４，４９〜５２の数を８つとし、第１の内部電極４１〜５２の総数よりも少なくされている。また、引き出し導体７３Ａ〜７３Ｄを介して第２の端子電極５Ａ〜５Ｄに直接接続される第２の内部電極６１〜６４，６９〜７２の数を８つとし、第２の内部電極６１〜７２の総数よりも少なくされている。したがって、第２実施形態に係る積層コンデンサは、すべての内部電極が対応する端子電極に引き出し導体を介して接続されている従来の積層コンデンサに比して、等価直列抵抗が大きくなる。
【００７１】
第２実施形態に係る積層コンデンサは、積層コンデンサＣ１に比して、引き出し導体５３Ａ〜５３Ｄを介して第１の端子電極３Ａ〜３Ｄに直接接続される第１の内部電極４１〜４４、４９〜５２の数が多く、これらの引き出し導体５３Ａ〜５３Ｄは対応する第１の端子電極３Ａ〜３Ｄに対して並列接続される。また、引き出し導体７３Ａ〜７３Ｄを介して第２の端子電極５Ａ〜５Ｄに直接接続される第２の内部電極６１〜６４、６９〜７２の数が多く、これらの引き出し導体７３Ａ〜７３Ｄは対応する第２の端子電極５Ａ〜５Ｄに対して並列接続される。したがって、第２実施形態に係る積層コンデンサの等価直列抵抗は、積層コンデンサＣ１の等価直列抵抗に比して小さくなる。
【００７２】
以上のように、本実施形態によれば、引き出し導体５３Ａ〜５３Ｄを介して第１の端子電極３Ａ〜３Ｄに電気的に接続される第１の内部電極４１〜４４、４７〜５０の数と引き出し導体７３Ａ〜７３Ｄを介して第２の端子電極５Ａ〜５Ｂに電気的に接続される第２の内部電極６１〜６４、６７〜７０の数とをそれぞれ調整することにより、積層コンデンサの等価直列抵抗が所望の値に設定されるので、等価直列抵抗の制御を容易に且つ精度良く行うことができる。
【００７３】
また、積層体１の第１〜第４の側面１ａ〜１ｄ上においては、積層体１の積層方向と平行な側面に沿って積層方向と交差するように周回する方向に関して、第１の外部導体群に含まれる各導体（第１の端子電極３Ａ〜３Ｄ及び第１の接続導体７Ａ、７Ｂ）と、第２の外部導体群に含まれる各導体（第２の端子電極５Ａ〜５Ｄ及び第２の接続導体９Ａ、９Ｂ）とが隣り合うように配置されている。そのため、第１の外部導体群（第１の端子電極３Ａ〜３Ｄ及び第１の接続導体７Ａ、７Ｂ）の極性と第２の外部導体群（第２の端子電極５Ａ〜５Ｄ及び第２の接続導体９Ａ、９Ｂ）の極性とを逆にした場合、積層体１の側面に沿って周回する方向で見て、逆の極性に接続されている端子電極又は接続導体が隣り合うように交互に配置されることとなる。これにより、積層体１の側面に沿って周回する方向に関して隣り合う引き出し導体には、互いに逆向きの電流が流れることととなる。その結果、これらの電流に起因して発生する磁界が相殺され、第２実施形態に係る積層コンデンサでは等価直列インダクタンスが低減されることとなる。
【００７４】
また、第２実施形態に係る積層コンデンサでは、端子電極３Ａ〜３Ｄ、５Ａ〜５Ｄと接続導体７Ａ、７Ｂ、９Ａ、９Ｂとが異なる側面上に形成されているため、第１の端子電極３Ａ〜３Ｄと第２の接続導体９Ａ、９Ｂとの間での短絡及び第２の端子電極５Ａ〜５Ｄと第１の接続導体７Ａ、７Ｂとの間での短絡の発生が抑制される。
【００７５】
（第３実施形態）
図４を参照して、第３実施形態に係る積層コンデンサの構成について説明する。第３実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１実施形態に係る積層コンデンサＣ１と相違する。図４は、第３実施形態に係る積層コンデンサに含まれる積層体の分解斜視図である。
【００７６】
第３実施形態に係る積層コンデンサは、図示は省略するが、第１実施形態に係る積層コンデンサＣ１と同じく、積層体１と、当該積層体１に形成された第１の端子電極３Ａ〜３Ｄと、同じく積層体１に形成された同じく積層体１に形成された第２の端子電極５Ａ〜５Ｄと、第１及び第２の接続導体７Ａ、７Ｂ、９Ａ、９Ｂとを備えている。
【００７７】
第３実施形態に係る積層コンデンサでは、図４に示されるように、第１の内部電極４３、４４が、引き出し導体を介して第１の端子電極に直接接続されていない。第３実施形態に係る積層コンデンサでは、各第１の内部電極５１、５２に対し、積層体１の第４の側面１ｄに引き出されるように伸びる各引き出し導体５３Ｃ、５３Ｄが形成されている。
【００７８】
引き出し導体５３Ｃは、第１の内部電極５１と一体に形成されており、積層体１の第４の側面１ｄに臨むように、第１の内部電極５１から伸びている。引き出し導体５３Ｄは、第１の内部電極５２と一体に形成されており、積層体１の第４の側面１ｄに臨むように、第１の内部電極５２から伸びている。
【００７９】
第１の内部電極５１は、引き出し導体５３Ｃを介して第１の端子電極３Ｃに電気的に接続される。第１の内部電極５２は、引き出し導体５３Ｄを介して第１の端子電極３Ｄに電気的に接続される。
【００８０】
第３実施形態に係る積層コンデンサでは、第２の内部電極６３、６４が、引き出し導体を介して第２の端子電極に直接接続されていない。第３実施形態に係る積層コンデンサでは、各第２の内部電極７１、７２に対し、積層体１の第４の側面１ｄに引き出されるように伸びる各引き出し導体７３Ｃ、７３Ｄが形成されている。
【００８１】
引き出し導体７３Ｃは、第２の内部電極７１と一体に形成されており、積層体１の第４の側面１ｄに臨むように、第２の内部電極７１から伸びている。引き出し導体７３Ｄは、第２の内部電極７２と一体に形成されており、積層体１の第４の側面１ｄに臨むように、第２の内部電極７２から伸びている。
【００８２】
第２の内部電極７１は、引き出し導体７３Ｃを介して第２の端子電極５Ｃに電気的に接続される。第２の内部電極７２は、引き出し導体７３Ｄを介して第２の端子電極５Ｄに電気的に接続される。
【００８３】
第３実施形態に係る積層コンデンサでは、引き出し導体５３Ａ〜５３Ｄを介して第１の端子電極３Ａ〜３Ｄに直接接続される第１の内部電極４１、４２、５１、５２の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１、６２、７１、７２の数を４つとし、第２の内部電極６１〜７２の総数（本実施形態では、１２つ）よりも少なくされている。これらにより、第３実施形態に係る積層コンデンサは、すべての内部電極が対応する端子電極に引き出し導体を介して接続されている従来の積層コンデンサに比して、等価直列抵抗が大きくなる。
【００８４】
ところで、第１の端子電極３Ａに着目すると、第１の接続導体７Ａ、７Ｂの抵抗成分はそれぞれ、第１の端子電極３Ａに対して直列接続されることとなる。
【００８５】
第１の端子電極３Ｂに着目すると、第１の接続導体７Ａ、７Ｂの抵抗成分はそれぞれ、第１の内部電極４２を境にして、当該第１の内部電極４２よりも積層方向の一方側に位置する第１の接続導体７Ａ、７Ｂの抵抗成分と、第１の内部電極４２よりも積層方向の他方側に位置する第１の接続導体７Ａ、７Ｂの抵抗成分とに分けられる。これらの抵抗成分は、第１の端子電極３Ｂに対して並列接続されることとなる。
【００８６】
第１の端子電極３Ｃに着目すると、第１の接続導体７Ａ、７Ｂの抵抗成分はそれぞれ、第１の内部電極５１を境にして、当該第１の内部電極５１よりも積層方向の一方側に位置する第１の接続導体７Ａ、７Ｂの抵抗成分と、第１の内部電極５１よりも積層方向の他方側に位置する第１の接続導体７Ａ、７Ｂの抵抗成分とに分けられる。これらの抵抗成分は、第１の端子電極３Ｃに対して並列接続されることとなる。
【００８７】
第１の端子電極３Ｄに着目すると、第１の接続導体７Ａ、７Ｂの抵抗成分はそれぞれ、第１の内部電極５２を境にして、当該第１の内部電極５２よりも積層方向の一方側に位置する第１の接続導体７Ａ、７Ｂの抵抗成分と、第１の内部電極５２よりも積層方向の他方側に位置する第１の接続導体７Ａ、７Ｂの抵抗成分とに分けられる。これらの抵抗成分は、第１の端子電極３Ｄに対して並列接続されることとなる。
【００８８】
一方、第２の端子電極５Ａに着目すると、第２の接続導体９Ａ、９Ｂの抵抗成分はそれぞれ、第２の内部電極６１を境にして、当該第２の内部電極６１よりも積層方向の一方側に位置する第２の接続導体９Ａ、９Ｂの抵抗成分と、第２の内部電極６１よりも積層方向の他方側に位置する第２の接続導体９Ａ、９Ｂの抵抗成分とに分けられる。これらの抵抗成分は、第２の端子電極５Ａに対して並列接続されることとなる。
【００８９】
第２の端子電極５Ｂに着目すると、第２の接続導体９Ａ、９Ｂの抵抗成分はそれぞれ、第２の内部電極６２を境にして、当該第２の内部電極６２よりも積層方向の一方側に位置する第２の接続導体９Ａ、９Ｂの抵抗成分と、第２の内部電極６２よりも積層方向の他方側に位置する第２の接続導体９Ａ、９Ｂの抵抗成分とに分けられる。これらの抵抗成分は、第２の端子電極５Ｂに対して並列接続されることとなる。
【００９０】
第２の端子電極５Ｃに着目すると、第２の接続導体９Ａ、９Ｂの抵抗成分はそれぞれ、第２の内部電極７１を境にして、当該第２の内部電極７１よりも積層方向の一方側に位置する第２の接続導体９Ａ、９Ｂの抵抗成分と、第２の内部電極７１よりも積層方向の他方側に位置する第２の接続導体９Ａ、９Ｂの抵抗成分とに分けられる。これらの抵抗成分は、第２の端子電極５Ｃに対して並列接続されることとなる。
【００９１】
第２の端子電極５Ｄに着目すると、第２の接続導体９Ａ、９Ｂの抵抗成分はそれぞれ、第２の端子電極５Ｄに対して直列接続されることとなる。
【００９２】
上述した第１及び第２の接続導体７Ａ、７Ｂ、９Ａ、９Ｂの抵抗成分の差異に起因して、第３実施形態に係る積層コンデンサは、第１実施形態に係る積層コンデンサＣ１に比して、等価直列抵抗が大きくなる。
【００９３】
以上のように、本実施形態によれば、引き出し導体５３Ａ〜５３Ｄを介して第１の端子電極３Ａ〜３Ｄに電気的に接続される第１の内部電極４１，４２，５１，５２の積層方向での位置と引き出し導体７３Ａ〜７３Ｄを介して第２の端子電極５Ａ〜５Ｄに電気的に接続される第２の内部電極６１，６２，７１，７２の積層方向での位置とをそれぞれ調整することにより、積層コンデンサの等価直列抵抗が所望の値に設定されるので、等価直列抵抗の制御を容易に且つ精度良く行うことができる。
【００９４】
また、積層体１の第１〜第４の側面１ａ〜１ｄ上においては、積層体１の積層方向と平行な側面に沿って積層方向と交差するように周回する方向に関して、第１の外部導体群に含まれる各導体（第１の端子電極３Ａ〜３Ｄ及び第１の接続導体７Ａ、７Ｂ）と、第２の外部導体群に含まれる各導体（第２の端子電極５Ａ〜５Ｄ及び第２の接続導体９Ａ、９Ｂ）とが交互に配置されている。そのため、第１の外部導体群（第１の端子電極３Ａ〜３Ｄ及び第１の接続導体７Ａ、７Ｂ）の極性と第２の外部導体群（第２の端子電極５Ａ〜５Ｄ及び第２の接続導体９Ａ、９Ｂ）の極性とを逆にした場合、積層体１の側面に沿って周回する方向で見て、逆の極性に接続されている端子電極又は接続導体が隣り合うように交互に配置されることとなる。これにより、積層体１の側面に沿って周回する方向に関して隣り合う引き出し導体には、互いに逆向きの電流が流れることととなる。その結果、これらの電流に起因して発生する磁界が相殺され、第３実施形態に係る積層コンデンサでは等価直列インダクタンスが低減されることとなる。
【００９５】
また、第３実施形態に係る積層コンデンサでは、端子電極３Ａ〜３Ｄ、５Ａ〜５Ｄと接続導体７Ａ、７Ｂ、９Ａ、９Ｂとが異なる側面上に形成されているため、第１の端子電極３Ａ〜３Ｄと第２の接続導体９Ａ、９Ｂとの間での短絡及び第２の端子電極５Ａ〜５Ｄと第１の接続導体７Ａ、７Ｂとの間での短絡の発生が抑制される。
【００９６】
（第４実施形態）
図５及び図６を参照して、第４実施形態に係る積層コンデンサＣ２の構成について説明する。第４実施形態に係る積層コンデンサは、第１及び第２の端子電極の数の点で第１実施形態に係る積層コンデンサＣ１と相違する。図５は、第４実施形態に係る積層コンデンサの斜視図である。図６は、第４実施形態に係る積層コンデンサに含まれる積層体の分解斜視図である。
【００９７】
第４実施形態に係る積層コンデンサは、図５に示すように、第１実施形態に係る積層コンデンサＣ１と同じく、積層体１と、当該積層体１に形成された第１及び第２の接続導体７Ａ、７Ｂ、９Ａ、９Ｂとを備えている。ただし、第１の接続導体７Ｂ及び第２の接続導体９Ｂが、第２の側面１ｂ上において、第４の側面１ｄ側から第３の側面１ｃ側に向かって、第１の接続導体７Ｂ、第２の接続導体９Ｂの順で形成されている。
【００９８】
また、第４実施形態に係る積層コンデンサは、図５に示すように、積層体１に形成された第１の端子電極３Ａ〜３Ｃと、第２の端子電極５Ａ〜５Ｃとを備えている。第１の端子電極３Ａ、３Ｂ及び第２の端子電極５Ａは、積層体１の第３の側面１ｃ側に位置し、第１の側面１ａ側から第２の側面１ｂ側に向かって、第１の端子電極３Ａ、第２の端子電極５Ａ、第１の端子電極３Ｂの順で形成されている。
【００９９】
第１の端子電極３Ｃ及び第２の端子電極５Ｂ、５Ｃは、積層体１の第４の側面１ｄ側に位置し、第２の側面１ｂ側から第１の側面１ａ側に向かって、第２の端子電極５Ｂ、第１の端子電極３Ｃ、第２の端子電極５Ｃの順で形成されている。
【０１００】
したがって、積層体１の第１〜第４の側面１ａ〜１ｄ上においては、積層体１の積層方向と平行な積層体１の側面（第１、第３、第２、及び第４の側面１ａ、１ｃ、１ｂ、１ｄ）に沿って、積層方向と交差するように周回する方向に関して、第１の外部導体群に含まれる各導体（第１の端子電極３Ａ〜３Ｃ及び第１の接続導体７Ａ、７Ｂ）と、第２の外部導体群に含まれる各導体（第２の端子電極５Ａ〜５Ｃ及び第２の接続導体９Ａ、９Ｂ）とが隣り合うように交互に配置されている。
【０１０１】
第１及び第２の端子電極３Ａ〜３Ｃ、５Ａ〜５Ｃは、積層体１の積層方向と平行な側面のうち第１の接続導体７Ａ、７Ｂ又は第２の接続導体９Ａ、９Ｂが形成されている第１及び第２の側面１ａ、１ｂとは異なる第３及び第４の側面１ｃ、１ｄ上に形成されている。また、第１の端子電極３Ａ〜３Ｃと第２の端子電極５Ａ〜５Ｃとは、互いに電気的に絶縁されている。
【０１０２】
また、第１及び第２の接続導体７Ａ、７Ｂ、９Ａ、９Ｂを除き第１及び第２の端子電極３Ａ〜３Ｃ、５Ａ〜５Ｃだけに着目すると、第１及び第２の端子電極３Ａ〜３Ｃ、５Ａ〜５Ｃは、積層体１の積層方向と平行な積層体１の側面（第１、第３、第２、及び第４の側面１ａ、１ｃ、１ｂ、１ｄ）に沿って積層方向と交差するように周回する方向に関して、第１の端子電極と第２の端子電極とが交互になるように配置されている。
【０１０３】
第４実施形態に係る積層コンデンサでは、図６に示されるように、各第１の内部電極４１、４２に対して、積層体１の第３の側面１ｃに引き出されるように伸びる各引き出し導体５３Ａ、５３Ｂが形成されている。第１の内部電極４３には、積層体１の第４の側面１ｄに引き出されるように伸びる引き出し導体５３Ｃが形成されている。
【０１０４】
引き出し導体５３Ａは、第１の内部電極４１と一体に形成されており、積層体１の第３の側面１ｃに臨むように、第１の内部電極４１から伸びている。引き出し導体５３Ｂは、第１の内部電極４２と一体に形成されており、積層体１の第３の側面１ｃに臨むように、第１の内部電極４２から伸びている。引き出し導体５３Ｃは、第１の内部電極４３と一体に形成されており、積層体１の第４の側面１ｄに臨むように、第１の内部電極４３から伸びている。
【０１０５】
第１の内部電極４１は、引き出し導体５３Ａを介して第１の端子電極３Ａに電気的に接続される。第１の内部電極４２は、引き出し導体５３Ｂを介して第１の端子電極３Ｂに電気的に接続される。第１の内部電極４３は、引き出し導体５３Ｃを介して第１の端子電極３Ｃに電気的に接続される。
【０１０６】
第１の内部電極４１〜５２は第１の接続導体７Ａ、７Ｂを介して互いに電気的に接続されていることから、第１の内部電極４５〜５２も第１の端子電極３Ａ〜３Ｃに電気的に接続されることとなり、第１の内部電極４１〜５２は並列接続されることとなる。
【０１０７】
第２の内部電極６１には、積層体１の第３の側面１ｃに引き出されるように伸びる引き出し導体７３Ａが形成されている。各第２の内部電極６２、６３には、積層体１の第４の側面１ｄに引き出されるように伸びる各引き出し導体７３Ｂ、７３Ｃが形成されている。
【０１０８】
引き出し導体７３Ａは、第２の内部電極６１と一体に形成されており、積層体１の第３の側面１ｃに臨むように、第１の内部電極６１から伸びている。引き出し導体７３Ｂは、第２の内部電極６２と一体に形成されており、積層体１の第４の側面１ｄに臨むように、第２の内部電極６２から伸びている。引き出し導体７３Ｃは、第２の内部電極６３と一体に形成されており、積層体１の第４の側面１ｄに臨むように、第２の内部電極６３から伸びている。
【０１０９】
第２の内部電極６１は、引き出し導体７３Ａを介して第２の端子電極５Ａに電気的に接続される。第２の内部電極６２は、引き出し導体７３Ｂを介して第２の端子電極５Ｂに電気的に接続される。第２の内部電極６３は、引き出し導体７３Ｃを介して第２の端子電極５Ｃに電気的に接続される。
【０１１０】
第２の内部電極６１〜７２は第２の接続導体９Ａ、９Ｂを介して互いに電気的に接続されていることから、第２の内部電極６５〜７２も第２の端子電極５Ａ〜５Ｃに電気的に接続されることとなり、第２の内部電極６１〜７２は並列接続されることとなる。
【０１１１】
第４実施形態に係る積層コンデンサでは、引き出し導体５３Ａ〜５３Ｃを介して第１の端子電極３Ａ〜３Ｃに直接接続される第１の内部電極４１〜４３の数を３つとし、第１の内部電極４１〜５２の総数よりも少なくされている。また、引き出し導体７３Ａ〜７３Ｃを介して第２の端子電極５Ａ〜５Ｃに直接接続される第２の内部電極６１〜６３の数を３つとし、第２の内部電極６１〜７２の総数よりも少なくされている。したがって、第４実施形態に係る積層コンデンサは、すべての内部電極が対応する端子電極に引き出し導体を介して接続されている従来の積層コンデンサに比して、等価直列抵抗が大きくなる。
【０１１２】
以上のように、本実施形態によれば、引き出し導体５３Ａ〜５３Ｃを介して第１の端子電極３Ａ〜３Ｃに電気的に接続される第１の内部電極４１〜４３の数と引き出し導体７３Ａ〜７３Ｃを介して第２の端子電極５Ａ〜５Ｃに電気的に接続される第２の内部電極６１〜６３の数とをそれぞれ調整することにより、第４実施形態に係る積層コンデンサの等価直列抵抗が所望の値に設定されるので、等価直列抵抗の制御を容易に且つ精度良く行うことができる。
【０１１３】
また、積層体１の第１〜第４の側面１ａ〜１ｄ上においては、積層体１の積層方向と平行な側面に沿って積層方向と交差するように周回する方向に関して、第１の外部導体群に含まれる各導体（第１の端子電極３Ａ〜３Ｃ及び第１の接続導体７Ａ、７Ｂ）と、第２の外部導体群に含まれる各導体（第２の端子電極５Ａ〜５Ｃ及び第２の接続導体９Ａ、９Ｂ）とが隣り合うように配置されている。そのため、第１の外部導体群（第１の端子電極３Ａ〜３Ｃ及び第１の接続導体７Ａ、７Ｂ）の極性と第２の外部導体群（第２の端子電極５Ａ〜５Ｃ及び第２の接続導体９Ａ、９Ｂ）の極性とを逆にした場合、積層体１の側面に沿って周回する方向で見て、逆の極性に接続されている端子電極又は接続導体が隣り合うように交互に配置されることとなる。これにより、積層体１の側面に沿って周回する方向に関して隣り合う引き出し導体には、互いに逆向きの電流が流れることととなる。その結果、これらの電流に起因して発生する磁界が相殺され、第４実施形態に係る積層コンデンサでは等価直列インダクタンスが低減されることとなる。
【０１１４】
また、第１及び第２の接続導体７Ａ、７Ｂ、９Ａ、９Ｂを除き第１及び第２の端子電極３Ａ〜３Ｃ、５Ａ〜５Ｃだけに着目した場合、第１及び第２の端子電極３Ａ〜３Ｃ、５Ａ〜５Ｃは、積層体１の積層方向と平行な積層体１の側面（第１、第３、第２、及び第４の側面１ａ、１ｃ、１ｂ、１ｄ）に沿って積層方向と交差するように周回する方向に関して、第１の端子電極と第２の端子電極とが交互になるように配置されている。したがって、第１及び第２の端子電極３Ａ〜３Ｃ、５Ａ〜５Ｃは、各端子電極と接続される引き出し導体を流れる電流によって発生する磁界が相殺され、等価直列インダクタンスが低減されるような配置となっている。第１及び第２の接続導体７Ａ，７Ｂ、９Ａ、９Ｂはそれぞれ偶数であるため、等価直列インダクタンスが低減されるように第１及び第２の端子導体３Ａ〜３Ｃ、５Ａ〜５Ｃが配置された積層コンデンサＣ２に対し接続導体をさらに加えても、等価直列インダクタンスはやはり低減される。
【０１１５】
また、第４実施形態に係る積層コンデンサでは、端子電極３Ａ〜３Ｃ、５Ａ〜５Ｃと接続導体７Ａ、７Ｂ、９Ａ、９Ｂとが異なる側面上に形成されているため、第１の端子電極３Ａ〜３Ｃと第２の接続導体９Ａ、９Ｂとの間での短絡及び第２の端子電極５Ａ〜５Ｃと第１の接続導体７Ａ、７Ｂとの間での短絡の発生が抑制される。
【０１１６】
なお、第４実施形態に係る積層コンデンサに対し、引き出し導体５３Ａ〜５３Ｃ，７３Ａ〜７３Ｃを介して端子電極３Ａ〜３Ｃ，５Ａ〜５Ｃに直接接続される内部電極の数及び積層方向での位置の少なくともいずれか一方を調整することにより、積層コンデンサの等価直列抵抗を所望の値に設定することができる。
【０１１７】
第１〜第４実施形態においては、引き出し導体５３Ａ〜５３Ｄ、７３Ａ〜７３Ｄを介して端子電極３Ａ〜３Ｄ、５Ａ〜５Ｄに直接接続される内部電極の数及び積層方向での位置の少なくともいずれか一方を調整することにより、各積層コンデンサの等価直列抵抗が所望の値に設定している。この結果、各積層コンデンサの等価直列抵抗の制御を容易に且つ精度良く行うことができる。
【０１１８】
上述したような、第１の端子電極３Ａ〜３Ｄに直接接続される第１の内部電極４１〜５２の数の調整は、１つ以上第１の内部電極４１〜５２の総数より１つ少ない数以下の範囲で行うことができる。上述したような、第２の端子電極５Ａ〜５Ｄに直接接続される第２の内部電極６１〜７２の数の調整は、１つ以上第２の内部電極６１〜７２の総数より１つ少ない数以下の範囲で行うことができる。引き出し導体５３Ａ〜５３Ｄを介して端子電極３Ａ〜３Ｄに直接接続される第１の内部電極の数と、引き出し導体７３Ａ〜７３Ｄを介して端子電極５Ａ〜５Ｄに直接接続される第２の内部電極の数とは、異なってもよい。
【０１１９】
以上、本発明の好適な実施形態について詳細に説明したが、本発明は上記実施形態に限定されるものではない。例えば、誘電体層１１〜３５の積層数及び第１及び第２の内部電極４１〜５２、６１〜７２の積層数は、上述した実施形態に記載された数に限られない。また、端子電極３Ａ〜３Ｄ、５Ａ〜５Ｄの数も、上述した実施形態に記載された数に限られない。また、接続導体７Ａ、７Ｂ、９Ａ、９Ｂの数も、上述した実施形態に記載された数に限られない。また、引き出し導体５３Ａ〜５３Ｄ、７３Ａ〜７３Ｄを介して端子電極３Ａ〜３Ｄ，５Ａ〜５Ｄに直接接続される内部電極の数及び積層方向での位置は、上述した実施形態に記載された数及び位置に限られない。
【０１２０】
また、積層体１の各側面１ａ、１ｂに形成された第１の接続導体と第２の接続導体との和がそれぞれ偶数でなくてもよい。また、必ずしも、端子電極３Ａ〜３Ｃ、５Ａ〜５Ｃと接続導体７Ａ、７Ｂ、９Ａ、９Ｂとが異なる側面上に形成されていなくてもよい。
【０１２１】
また、本発明に係る積層コンデンサの積層体に対しさらに、誘電体層が積層されていても、あるいは誘電体層と内部電極とが交互に積層されていてもよい。
【図面の簡単な説明】
【０１２２】
【図１】第１実施形態に係る積層コンデンサの斜視図である。
【図２】第１実施形態に係る積層コンデンサに含まれる積層体の分解斜視図である。
【図３】第２実施形態に係る積層コンデンサに含まれる積層体の分解斜視図である。
【図４】第３実施形態に係る積層コンデンサに含まれる積層体の分解斜視図である。
【図５】第４実施形態に係る積層コンデンサの斜視図である。
【図６】第４実施形態に係る積層コンデンサに含まれる積層体の分解斜視図である。
【符号の説明】
【０１２３】
１…積層体、１ａ〜１ｄ…第１〜第４の側面、３Ａ〜３Ｄ…第１の端子電極、５Ａ〜５Ｄ…第２の端子電極、７Ａ〜７Ｄ…第１の接続導体、９Ａ〜９Ｄ…第２の接続導体、１１〜３５…誘電体層、４１〜５２…第１の内部電極、８１Ａ〜９２Ａ、８１Ｂ〜９２Ｂ…引き出し導体、６１〜７２…第２の内部電極、１０１Ａ〜１１２Ａ、１０１Ｂ〜１１２Ｂ…引き出し導体、５３Ａ〜５３Ｄ、７３Ａ〜７３Ｄ…引き出し導体、Ｃ１、Ｃ２…積層コンデンサ。
【図１】
2008199047.tif 000003
【図２】
2008199047.tif 000004
【図３】
2008199047.tif 000005
【図４】
2008199047.tif 000006
【図５】
2008199047.tif 000007
【図６】
2008199047.tif 000008